(57)【要約】【課題】本発明は、構成部品を減らしたデータ駆動回路、表示装置及び表示装置のコントロール方法を提供することを課題とする。【解決手段】本発明のデータ駆動回路２は、シフトレジスタユニット２２及びレベルシフトユニット２３を備える。このうち、レベルシフトユニット２３はそれぞれシフトレジスタユニット及び複数のデータラインＤ１１〜Ｄ１ｍに電気的に接続される。シフトレジスタユニット２２はクロック信号ＣＫ及び少なくとも１個の入力映像信号Ｓ１１、Ｓ１２、Ｓ１３を受信して、出力映像信号を発生させる。レベルシフトユニット２３は出力映像信号を受信して、複数の表示信号を発生させてデータラインに送る。また、本発明において、表示装置及びそのコントロール方法も開示する。【選択図】図３
2009265670.tif 000002
【特許請求の範囲】
【請求項１】
クロック信号及び少なくとも一つの入力映像信号を受信して、出力映像信号を発生させるシフトレジスタユニットと、
それぞれ前記シフトレジスタユニット及び複数のデータラインに電気的に接続されて、前記出力映像信号を受信して、複数の表示信号を発生させて前記データラインに送るレベルシフトユニットとを備えることを特徴とする
データ駆動回路。
【請求項２】
前記入力映像信号は複数の映像データを含み、前記シフトレジスタユニットは順序に従って前記映像データを受信することを特徴とする
請求項１に記載のデータ駆動回路。
【請求項３】
前記レベルシフトユニットは前記出力映像信号の電圧レベルを調整することを特徴とする
請求項１に記載のデータ駆動回路。
【請求項４】
前記レベルシフトユニットはさらに出力有効信号を受信して、前記出力有効信号に基づき前記表示信号を前記データラインに出力することを特徴とする
請求項１に記載のデータ駆動回路。
【請求項５】
クロック信号及び少なくとも一つの入力映像信号を受信して、出力映像信号を発生させるシフトレジスタユニットと、
前記シフトレジスタユニットに電気的に接続されて、前記出力映像信号を受信し、前記出力映像信号に基づいてコントロール信号を発生させるレベルシフトユニットと、
それぞれ前記レベルシフトユニット及び複数のデータラインに電気的に接続されて、前記コントロール信号及び入力レベル信号を受信し、それに基づいて複数の表示信号を発生させて前記データラインに送るサンプルホールドユニットとを備えることを特徴とする
データ駆動回路。
【請求項６】
前記入力映像信号は複数の映像データを含み、前記シフトレジスタユニットは順序に従って前記映像データを受信することを特徴とする
請求項５に記載のデータ駆動回路。
【請求項７】
前記レベルシフトユニットは前記出力映像信号の電圧レベルを調整することを特徴とする
請求項５に記載のデータ駆動回路。
【請求項８】
前記レベルシフトユニットはさらに出力有効信号を受信して、前記出力有効信号に基づき前記コントロール信号を前記サンプルホールドユニットに出力することを特徴とする
請求項５に記載のデータ駆動回路。
【請求項９】
表示パネルと、
複数のデータラインを介して前記表示パネルに電気的に接続されるデータ駆動回路とを備え、
前記データ駆動回路は、
クロック信号及び少なくとも一つの入力映像信号を受信して、出力映像信号を発生させるシフトレジスタユニットと、
前記シフトレジスタユニットに電気的に接続されて、前記出力映像信号を受信して、前記出力映像信号に基づきコントロール信号を発生させるレベルシフトユニットと、
それぞれ前記レベルシフトユニット及び複数のデータラインに電気的に接続されて、前記コントロール信号及び入力レベル信号を受信し、それに基づき複数の表示信号を発生させて前記表示パネルに送るサンプルホールドユニットとを有することを特徴とする
表示装置。
【請求項１０】
前記入力映像信号は複数の映像データを含み、前記シフトレジスタユニットは順序に従って前記映像データを受信することを特徴とする
請求項９に記載の表示装置。
【請求項１１】
前記レベルシフトユニットは前記出力映像信号の電圧レベルを調整することを特徴とする
請求項９に記載の表示装置。
【請求項１２】
前記レベルシフトユニットはさらに出力有効信号を受信して、前記出力有効信号に基づき前記コントロール信号を発生させることを特徴とする
請求項９に記載の表示装置。
【請求項１３】
前記表示パネルは非揮発性表示パネルであることを特徴とする
請求項９に記載の表示装置。
【請求項１４】
表示パネルと、
複数のデータラインを介して前記表示パネルに電気的に接続されるデータ駆動回路とを備え、
前記データ駆動回路は、
クロック信号及び少なくとも一つの入力映像信号を受信して、出力映像信号を発生させるシフトレジスタユニットと、
それぞれ前記シフトレジスタユニット及び前記表示パネルに電気的に接続されて、前記出力映像信号を受信して、複数の表示信号を発生させて前記表示パネルに送るレベルシフトユニットとを有することを特徴とする
表示装置。
【請求項１５】
前記入力映像信号は複数の映像データを含み、前記シフトレジスタユニットは順序に従って前記映像データを受信することを特徴とする
請求項１４に記載の表示装置。
【請求項１６】
前記レベルシフトユニットは前記出力映像信号の電圧レベルを調整することを特徴とする
請求項１４に記載の表示装置。
【請求項１７】
前記レベルシフトユニットはさらに出力有効信号を受信して、前記出力有効信号に基づき前記表示信号を前記表示パネルに出力することを特徴とする
請求項１４に記載の表示装置。
【請求項１８】
表示装置のコントロール方法であって、
前記表示装置は、表示パネル及びデータ駆動回路を有し、このうち、前記データ駆動回路はシフトレジスタユニット及びレベルシフトユニットを有して、
クロック信号及び少なくとも一つの入力映像信号を前記シフトレジスタユニットに入力するステップと、
前記シフトレジスタユニットを介して前記入力映像信号に基づき出力映像信号を発生させて前記レベルシフトユニットに送るステップと、
前記レベルシフトユニットを介して、前記出力映像信号に基づき複数の表示信号を発生させて前記表示パネルに送るステップとを備えることを特徴とする、表示装置のコントロール方法。
【請求項１９】
前記入力映像信号は複数の映像データを含み、順序に従って前記シフトレジスタユニットに入力されることを特徴とする
請求項１８に記載のコントロール方法。
【請求項２０】
前記レベルシフトユニットを介して前記出力映像信号の電圧レベルを調整することを特徴とする
請求項１８に記載のコントロール方法。
【請求項２１】
出力有効信号を前記レベルシフトユニットに出力するステップと、
前記レベルシフトユニットは前記出力有効信号に基づき前記表示信号を前記表示パネルに出力するステップとを備えることを特徴とする
請求項１８に記載のコントロール方法。
【発明の詳細な説明】
【技術分野】
【０００１】
本発明はデータ駆動回路に関し、特に、表示装置及び表示装置のコントロール方法に関する。
【背景技術】
【０００２】
表示装置は、過去の陰極線管（cathode ray tube, ＣＲＴ）表示装置から、現在では液晶表示装置（liquid crystal display, ＬＣＤ）、有機発光ダイオード（organic light emitting diode, ＯＬＥＤ）表示装置、そして、電子ペーパー（E-Paper）による表示装置にまで発展しており、その体積及び重量はいずれも大幅に縮小されて、通信、情報及び消費性電子製品等の製品に広く応用されている。
【０００３】
図１を参照しながら説明する。  
従来の表示装置１は液晶表示装置を例としており、液晶表示パネル１１及びデータ駆動回路１２を備える。  
データ駆動回路１２は、複数のデータラインＤ０１〜Ｄ０ｍを介して液晶表示パネル１１に電気的に接続される。
【０００４】
データ駆動回路１２は、シフトレジスタユニット１２２、第一レベルラッチユニット１２３、第二レベルラッチユニット１２４及びレベルシフトユニット１２５を備える。  
シフトレジスタユニット１２２は、第一レベルラッチユニット１２３に電気的に接続され、第二レベルラッチユニット１２４はそれぞれ第一レベルラッチユニット１２３及びレベルシフトユニット１２５に電気的に接続される。
【０００５】
同時に、図２を参照しながら説明する。  
シフトレジスタユニット１２２は、スタートパルス信号（start pulse）Ｓ０１及びクロック信号ＣＫに基づいてシフトレジスタ信号ＳＲ１〜ＳＲＮを発生させて第一レベルラッチユニット１２３に伝達する。
【０００６】
第一レベルラッチユニット１２３は、シフトレジスタ信号ＳＲ１〜ＳＲＮを受け、その信号に基づき映像信号Ｓ０２を受信する。  
このうち、映像信号Ｓ０２は複数の映像データを含み、第一レベルラッチユニット１２３中に保存される。  
第二レベルラッチユニット１２４は、ラッチ有効信号（latch enable）Ｓ０３に基づき、映像信号Ｓ０２を第二レベルラッチユニット１２４中に読み取る。  
レベルシフトユニット１２５は、第二レベルラッチユニット１２４中に保存された映像信号Ｓ０２を表示信号に変換して、対応するデータラインＤ０１〜Ｄ０ｍを介して液晶表示パネル１１に伝達されて表示画面を表示する。
【発明の概要】
【発明が解決しようとする課題】
【０００７】
しかしながら、現在の表示装置の設計は、軽、薄、短、小が主流となっており、現有の表示装置の構造において、構成部分の数を少なくし、同様の機能を有するという目的を達成できれば、表示装置においてさらに空間が節約でき、または、軽量化、薄型化を図って生産コストを節約させることが可能である。  
したがって、本発明は、構成部品を減らしたデータ駆動回路、表示装置及び表示装置のコントロール方法を提供することを課題とする。
【課題を解決するための手段】
【０００８】
上記課題を解決するために、本発明は、構成部品を減らしたデータ駆動回路、表示装置及び表示装置のコントロール方法を提供することを目的とする。
【０００９】
本発明のデータ駆動回路は、入力映像信号を別のタイプの信号に変換し、この信号が直接表示装置のピクセル回路を駆動するものを指し、このうち、入力映像信号は表示装置に表示するデータまたは図形を含む。  
本発明において、データ駆動回路は、ソース駆動回路（source driving circuit）または列駆動回路（column driving circuit）である。
【００１０】
上記目的を達成するために、本発明のデータ駆動回路は、シフトレジスタユニット及びレベルシフトユニットを備える。  
このうち、シフトレジスタユニットはクロック信号及び少なくとも一つの入力映像信号を受信して、出力映像信号を発生させる。  
レベルシフトユニットはそれぞれシフトレジスタユニット及び複数のデータラインに電気的に接続される。  
レベルシフトユニットは出力映像信号を受信し、それに基づいて複数の表示信号を発生させてデータラインに送る。
【００１１】
上記目的を達成するために、本発明の表示装置は、表示パネル及びデータ駆動回路を備える。  
このうち、表示パネルの画素配列方式は、一次元マトリクスまたは二次元マトリクスの型式である。  
データ駆動回路は、複数のデータラインを介して表示パネルに電気的に接続され、データ駆動回路はシフトレジスタユニット及びレベルシフトユニットを有する。  
このうち、シフトレジスタユニットはクロック信号及び少なくとも１個の入力映像信号を受信して、出力映像信号を発生させる。  
レベルシフトユニットはそれぞれシフトレジスタユニット及び複数のデータラインに電気的に接続される。  
レベルシフトユニットは出力映像信号を受信し、それに基づき複数の表示信号を発生させて表示パネルに送る。
【００１２】
上記目的を達成するために、本発明は表示装置のコントロール方法を提供する。  
このうち、表示装置は表示パネル及びデータ駆動回路を有し、データ駆動回路はシフトレジスタユニット及びレベルシフトユニットを有する。  
表示装置のコントロール方法は、以下のステップを備える。  
クロック信号及び少なくとも１個の入力映像信号をシフトレジスタユニットに入力する。  
前記シフトレジスタユニットを介して、入力映像信号に基づいて出力映像信号を発生してレベルシフトユニットに送る。  
レベルシフトユニットを介して、出力映像信号に基づき複数の表示信号を発生して表示パネルに送る。
【００１３】
上記目的を達成するために、本発明のデータ駆動回路は、シフトレジスタユニット、レベルシフトユニット及びサンプルホールドユニットを備える。  
このうち、シフトレジスタユニットは、クロック信号及び少なくとも１個の入力映像信号を受信して、それに基づき出力映像信号を発生させる。  
レベルシフトユニットは、シフトレジスタユニットに電気的に接続されて、出力映像信号を受信し、それに基づいてコントロール信号を発生させる。  
サンプルホールドユニットはそれぞれレベルシフトユニットと複数のデータラインに電気的に接続されて、コントロール信号及び入力レベル信号を受信し、それに基づいて複数の表示信号を発生させてデータラインに送る。
【００１４】
上記目的を達成するために、本発明の表示装置は、表示パネル及びデータ駆動回路を備える。  
このうち、表示パネルの画素配列方式は一次元マトリクスまたは二次元マトリクスの型式である。  
データ駆動回路は複数のデータラインを介して表示パネルに電気的に接続され、データ駆動回路はシフトレジスタユニット、レベルシフトユニット及びサンプルホールドユニットを有する。  
このうち、シフトレジスタユニットは、クロック信号及び少なくとも１個の入力映像信号を受信して、出力映像信号を発生させる。  
レベルシフトユニットは、シフトレジスタユニットに電気的に接続されて、出力映像信号を受信し、それに基づいてコントロール信号を発生させる。  
サンプルホールドユニットはそれぞれレベルシフトユニット及び複数のデータラインに電気的に接続されて、コントロール信号及び入力レベル信号を受信し、それに基づいて複数の表示信号を発生させて表示パネルに送る。
【００１５】
上記目的を達成するために、本発明は表示装置のコントロール方法を提供する。  
このうち、表示装置は表示パネル及びデータ駆動回路を有し、データ駆動回路はシフトレジスタユニット、レベルシフトユニット及びサンプルホールドユニットを有する。  
表示装置のコントロール方法は、以下のステップを備える。  
クロック信号及び少なくとも１個の入力映像信号をシフトレジスタユニットに入力する。  
前記シフトレジスタユニットを介して、入力映像信号に基づいて出力映像信号を発生してレベルシフトユニットに送る。  
レベルシフトユニットは出力映像信号に基づきコントロール信号を発生させてサンプルホールドユニットに送る。  
サンプルホールドユニットは入力レベル信号及びコントロール信号を受信し、これに基づいて複数の表示信号を発生して表示パネルに送る。
【００１６】
このように、上述の本発明のデータ駆動回路は、シフトレジスタユニット及びレベルシフトユニットを備えて、複数の表示信号を表示パネルに出力する。  
従来の技術と比較した時、本発明のデータ駆動回路及び表示装置は、第一レベルのラッチユニット及び第二レベルのラッチユニットを使用しないで、映像信号を入力することが可能である。  
したがって、本発明のデータ駆動回路、表示装置及び表示装置のコントロール方法は、空間を制約し、生産コストを削減することが可能である。
【発明の効果】
【００１７】
本発明のデータ駆動回路は、シフトレジスタユニット及びレベルシフトユニットを備えて、複数の表示信号を表示パネルに出力する。  
従来の技術と比較した時、本発明のデータ駆動回路及び表示装置は、第一レベルのラッチユニット及び第二レベルのラッチユニットを使用しないで、映像信号を入力することが可能である。  
したがって、本発明のデータ駆動回路、表示装置及び表示装置のコントロール方法は、空間を制約し、生産コストを削減することが可能である。
【図面の簡単な説明】
【００１８】
【図１】従来の表示装置のデータ駆動回路を示した図である。
【図２】従来の表示装置のデータ駆動回路のタイミングコントロール図である。
【図３】本発明の第一実施例におけるデータ駆動回路を示した図である。
【図４】本発明の第一実施例におけるデータ駆動回路のタイミングコントロール図である。
【図５】本発明の第一実施例における表示装置を示した図である。
【図６】本発明の第一実施例のコントロール方法のステップを示したフローチャートである。
【図７】本発明の第二実施例におけるデータ駆動回路を示した図である。
【図８】本発明の第二実施例におけるデータ駆動回路のタイミングコントロール図である。
【図９】本発明の第二実施例における表示装置を示した図である。
【図１０】本発明の第二実施例のコントロール方法のステップを示したフローチャートである。
【発明を実施するための形態】
【００１９】
以下に図を参照しながら、本発明の複数の実施例におけるデータ駆動回路、表示装置及び表示装置のコントロール方法について説明する。
【第一実施例】
【００２０】
図３を参照しながら説明する。  
本発明の第一実施例におけるデータ駆動回路２は、シフトレジスタユニット２２及びレベルシフトユニット２３を備える。  
このうち、レベルシフトユニット２３はそれぞれ、シフトレジスタユニット２２及び複数のデータラインＤ１１〜Ｄ１ｍに電気的に接続される。  
このうち、ｍは１より大きい正の整数である。
【００２１】
ここで、述べるところの電気的な接続は直接的な電気的接続または間接的な電気的接続であり、いわゆる間接的な電気的接続とは２つの素子の間に別の素子を介して（例えば、緩衝素子）それらを互いに電気的に接続させることを意味する。
【００２２】
シフトレジスタユニット２２は、複数のレジスタＲ１〜Ｒｉを備えて、少なくとも１個の入力映像信号を受信する。  
本実施例において、シフトレジスタユニット２２はそれぞれ、３本の入力映像信号ラインＩＭ１〜ＩＭ３に電気的に接続されて、３個の入力映像信号Ｓ１１〜Ｓ１３を受信し、これが表示画面となる。  
入力映像信号Ｓ１１〜Ｓ１３は図４に示したとおりである。  
このうち、入力映像信号Ｓ１１は複数の映像データＡ１１〜Ａ１Ｎを含み、入力映像信号Ｓ１２は複数の映像データＡ２１〜Ａ２Ｎ含み、入力映像信号Ｓ１３は複数の映像データＡ３１〜Ａ３Ｎを含む。
【００２３】
この時、シフトレジスタユニット２２はクロック信号ＣＫも受信する。  
本実施例において、シフトレジスタユニット２２は、時間Ｔ０１〜Ｔ０２において、クロック信号ＣＫの順序に入力映像信号Ｓ１１〜Ｓ１３を受信する。
【００２４】
以下に、シフトレジスタユニット２２が入力映像信号Ｓ１１〜Ｓ１３を受信する方式について詳細に説明する。  
シフトレジスタユニット２２は時間Ｔ０１において、クロック信号ＣＫに合わせて入力映像信号Ｓ１１〜Ｓ１３を受信し始める。  
まず、シフトレジスタユニット２２は、映像データＡ１１、Ａ２１、Ａ３１を受信すると、映像データＡ１１を一時的にレジスタＲ１中に、映像データＡ２１を一時的にレジスタＲ２中に、映像データＡ３１を一時的にレジスタＲ３中にそれぞれ保存する。  
クロック信号ＣＫに伴って、映像データＡ１１〜Ａ３Ｎは順序にレジスタＲ１〜Ｒｉ中に保存される。
【００２５】
時間Ｔ０１〜Ｔ０２の間において、出力有効信号ＯＥがレベルシフトユニット２３をＯＦＦにすることで、レベルシフトユニット２３がレジスタＲ１〜Ｒｉ中の映像データＡ１１〜Ａ３Ｎに対応するデータラインＤ１１〜Ｄ１ｍが必要とする電圧に変換しないため、データラインＤ１１〜Ｄ１ｍは低電圧または浮動電圧（floating）の状態になる。
【００２６】
さらに、図４を参照しながら説明する。  
時間Ｔ０２〜Ｔ０３の時、クロック信号ＣＫは固定レベル、例えば、低電圧レベルにある。  
当然、異なる実施例において、クロック信号ＣＫは、高電圧レベルまたは浮動電圧（floating）の状態もあり得る。  
そして、シフトレジスタユニット２２がレジスタＲ１〜Ｒｉ中のシフト動作を停止する。  
この時、シフトレジスタユニット２２は、出力映像信号を発生させてレベルシフトユニット２３に送る。  
ここで、出力映像信号は映像データＡ１１〜Ａ３Ｎを含む。  
レベルシフトユニット２３を介して、それぞれ映像データＡ１１〜Ａ３Ｎの電圧レベルを調整する。
【００２７】
この時、クロック信号ＣＫと比較すると、出力有効信号ＯＥは高電圧レベルである。  
このため、レベルシフトユニット２３は出力有効信号ＯＥを受信し、これに基づいて出力映像信号を表示信号Ｓ２１〜Ｓ２ｍに変換した後、対応する各データラインＤ１１〜Ｄ１ｍに出力する。  
このうち、表示信号Ｓ２１〜Ｓ２ｍのレベルは、表示する映像に基づいて異なるレベルを有し、図中に制限されるものではない。
【００２８】
以下、図５を参照しながら説明する。  
本発明における第一実施例の表示装置３は、表示パネル３１及びデータ駆動回路３２を備える。  
データ駆動回路３２は複数のデータラインＤ１１〜Ｄ１ｍを介して表示パネル３１に電気的に接続される。  
第一実施例において、表示パネル３１は非揮発性表示パネルである。  
いわゆる非揮発性表示パネルとは、表示パネル３１が少なくとも２個の安定状態を有し、電源を取り除いた後でも、表示パネル３１がその安定状態を少なくとも数十ミリ秒（ｍｓ）維持できることを意味する。  
また、表示パネル３１中の光学調整物質は、電気泳動液、エレクトロ・ウェッティング性物質、コレステロール（cholesterol）液晶またはネマチック（Nematic）液晶を含む。  
表示パネル３１中にはさらに、少なくとも１個の画素（図示はされない）を含み、その配列方式は一次元マトリクスまたは二次元マトリクスである。
【００２９】
データ駆動回路３２のシフトレジスタユニット３２２及びレベルシフトユニット３２３は、すなわち図３に示したデータ駆動回路２のシフトレジスタユニット２２及びレベルシフトユニット２３であり、その機能、回路及び作動方式は上述と同様であるため、ここでは詳述しない。
【００３０】
シフトレジスタユニット３２２及びレベルシフトユニット３２３の少なくとも一部分は、単結晶半導体製造技術によって集積回路（intergrated circuit, ＩＣ）チップ中に設置されるか、それぞれ多結晶製造または非結晶製造方式によって表示パネル３１と同じ基板に設置される。  
ここで、非結晶製造とは、非結晶シリコン薄膜トランジスタ製造または有機薄膜トランジスタ製造である。
【００３１】
図６を参照しながら説明する。  
本発明における第一実施例の表示装置のコントロール方法は、図５に示した表示装置３を応用したものである。  
本発明のコントロール方法は、ステップＷ０１からステップＷ０３を備える。
【００３２】
ステップＷ０１は、クロック信号及び少なくとも１個の入力映像信号をシフトレジスタユニットに入力する。  
ステップＷ０２は、シフトレジスタユニットを介して、入力映像信号に基づき出力映像信号を発生させて、レベルシフトユニットに送る。ステップＷ０３は、レベルシフトユニットを介して、出力映像信号に基づき複数の表示信号を発生させて、表示パネルに送る。
【００３３】
このうち、詳細なコントロール方式については、図３から図５までに説明されているので、ここでは詳述しない。
【第二実施例】
【００３４】
本実施例におけるデータ駆動回路２’は、第一実施例において述べたシフトレジスタユニット２２及びレベルシフトユニット２３の外に、さらに、サンプルホールドユニット（sample-hold unit）２４を備え、その少なくとも一部分は単結晶製造過程、多結晶製造過程または非結晶製造過程によって製造される。  
図７に示したように、サンプルホールドユニット２４は、複数のスイッチＴａ〜Ｔｍを備え、入力レベル信号ＳＬを受信する。  
このうち、各スイッチＴａ〜Ｔｍはそれぞれレベルシフトユニット２３及び対応するデータラインＤ１１〜Ｄ１ｍに電気的に接続される。  
第二実施例において、スイッチＴａ〜Ｔｍはそれぞれトランジスタである。
【００３５】
同時に図８を参照しながら説明する。  
時間Ｔ１１〜Ｔ１２において、シフトレジスタユニット２２は、クロック信号ＣＫに基づき、順序どおりに入力映像信号Ｓ１１〜Ｓ１３を受信し、それは映像データＡ１１〜Ａ３Ｎを含む。この時、出力有効信号ＯＥはレベルシフトユニット２３をＯＦＦにする。
【００３６】
時間Ｔ１２〜Ｔ１３において、クロック信号ＣＫは固定レベルにあり、シフトレジスタユニット２２はレジスタＲ１〜Ｒｉ中のシフト動作を停止させる。  
この時、レベルシフトユニット２３は、出力有効信号ＯＥに基づき、映像データＡ１１〜Ａ３Ｎを受信してコントロール信号Ｓ３１〜Ｓ３ｍを発生させ、サンプルホールドユニット２４に送る。
【００３７】
サンプルホールドユニット２４は、コントロール信号Ｓ３１〜Ｓ３ｍ及び入力レベル信号ＳＬを受信し、それに基づいて表示信号Ｓ２１〜Ｓ２ｍを発生させてデータラインＤ１１〜Ｄ１ｍに送る。  
以下に、サンプルホールドユニット２４の作動状況について詳細に説明する。
【００３８】
サンプルホールドユニット２４は、入力レベル信号ＳＬを受信して、第一準位Ｌ１、第二準位Ｌ２及び第三準位Ｌ３を有する。  
本実施例において、入力レベル信号ＳＬは、例えば、ただしこの限りではないが、時間Ｔ１１〜Ｔ１３は第一準位Ｌ１を有し、時間Ｔ１３〜Ｔ１５は第二準位Ｌ２を有し、時間Ｔ１５〜Ｔ１７は第三準位Ｌ３を有する。  
このうち、第三準位Ｌ３は第一準位Ｌ１及び第二準位Ｌ２の間に位置する。
【００３９】
図８に示したように、サンプルホールドユニット２４が第一準位Ｌ１を有する表示信号Ｓ２２を出力する時、時間Ｔ１２〜Ｔ１３において、クロック信号ＣＫが固定レベル、例えば、低電圧レベルにある場合、出力有効信号ＯＥ及びコントロール信号Ｓ３２が高電圧レベルを出力することにより、スイッチＴｂを通電させて、表示信号Ｓ２２を第一準位Ｌ１に出力する。
【００４０】
サンプルホールドユニット２４が第二準位Ｌ２を有する表示信号Ｓ２１を出力する時、時間Ｔ１４〜Ｔ１５において、クロック信号ＣＫが固定レベル、例えば、低電圧レベルにある場合、出力有効信号ＯＥ及びコントロール信号Ｓ３１が高電圧レベルを出力することにより、スイッチＴａを通電させて、表示信号Ｓ２１を第二準位Ｌ２に出力する。
【００４１】
サンプルホールドユニット２４が第三準位Ｌ３を有する表示信号Ｓ２ｍを出力する時、時間Ｔ１６〜Ｔ１７において、クロック信号ＣＫが固定レベル、例えば、低電圧レベルにある場合、出力有効信号ＯＥ及びコントロール信号Ｓ３ｍが高電圧レベルを出力することにより、スイッチＴｍを通電させて、表示信号Ｓ２ｍを第三準位Ｌ３に出力する。
【００４２】
図９に示したように、本発明の第二実施例の表示装置４は、表示パネル４１及びデータ駆動回路４２を備える。  
データ駆動回路４２は、複数のデータラインＤ１１〜Ｄ１ｍを介して表示パネル４１に電気的に接続される。  
データ駆動回路４２のシフトレジスタユニット４２２、レベルシフトユニット４２３及びサンプルホールドユニット４２４は、すなわち図７に述べたデータ駆動回路２’のシフトレジスタユニット２２、レベルシフトユニット２３及びサンプルホールドユニット２４であり、その機能、回路及び作動方式は上述のものと同様であるため、ここでは詳述しない。
【００４３】
図１０に示したように、本発明の第二実施例の表示装置のコントロール方法は、図９に示した表示装置４を応用したものである。  
本発明のコントロール方法は、ステップＷ１１からステップＷ１４を備える。
【００４４】
ステップＷ１１は、クロック信号及び少なくとも１個の入力映像信号をシフトレジスタユニットに入力する。  
ステップＷ１２は、レベルシフトユニットを介して、入力映像信号に基づき出力映像信号を発生させてレベルシフトユニットに送る。  
ステップＷ１３は、レベルシフトユニットを介して、出力映像信号に基づきコントロール信号を出力してサンプルホールドユニットに送る。  
ステップＷ１４は、サンプルホールドユニットを介して、入力レベル信号及びコントロール信号を受信して、それに基づき複数の表示信号を発生させて表示パネルに送る。
【００４５】
このうち、詳細なコントロール方式については、上述の実施例においてすでにまとめて詳述しているため、ここでは詳述しない。
【００４６】
このように、本発明のデータ駆動回路、表示装置及び表示装置のコントロール方法について、このうち、データ駆動回路はシフトレジスタユニット及びレベルシフトユニットを備えて、複数の表示信号を表示パネルに出力する。  
従来の技術と比較した時、本発明のデータ駆動回路及び表示装置は、ラッチユニットを使用しないで、映像信号を入力することが可能である。  
したがって、空間を制約し、生産コストを削減することが可能である。
【００４７】
以上、本発明の実施例を図面を参照して詳述してきたが、具体的な構成は、これらの実施例に限られるものではなく、本発明の要旨を逸脱しない範囲の設計変更などがあっても、本発明に含まれる。
【符号の説明】
【００４８】
１、３、４              表示装置
１１、３１、４１        表示パネル
１２、２、２’、３２、４２    データ駆動回路
１２２、２２、３２２、４２２    シフトレジスタユニット
１２３、１２４          ラッチユニット
１２５、２３、３２３、４２３    レベルシフトユニット
２４、４２４            サンプルホールドユニット
Ａ１１〜Ａ１Ｎ、Ａ２１〜Ａ２Ｎ、Ａ３１〜Ａ３Ｎ    映像データ
ＣＫ                    クロック信号
Ｄ０１〜Ｄ０ｍ、Ｄ１１〜Ｄ１ｍ    データライン
ＩＭ１〜ＩＭ３            映像信号ライン
Ｌ１                      第一準位
Ｌ２                      第二準位
Ｌ３                      第三準位
ＯＥ                    出力有効信号
Ｒ１〜Ｒｉ                レジスタ
Ｓ０１                    タートパルス信号
Ｓ０２                    映像信号
Ｓ０３                    ラッチ有効信号
Ｓ１１、Ｓ１２、Ｓ１３        入力映像信号
Ｓ２１〜Ｓ２ｍ              表示信号
Ｓ３１〜Ｓ３ｍ              コントロール信号
ＳＬ                      入力レベル信号
ＳＲ１〜ＳＲＮ              シフトレジスタ信号
Ｔ０１〜Ｔ０３、Ｔ１１〜Ｔ１７    時間
Ｔａ〜Ｔｍ                スイッチ
Ｗ０１〜Ｗ０３、Ｗ１１〜Ｗ１４    ステップ
【図１】
2009265670.tif 000003
【図２】
2009265670.tif 000004
【図３】
2009265670.tif 000005
【図４】
2009265670.tif 000006
【図５】
2009265670.tif 000007
【図６】
2009265670.tif 000008
【図７】
2009265670.tif 000009
【図８】
2009265670.tif 000010
【図９】
2009265670.tif 000011
【図１０】
2009265670.tif 000012